(57)【要約】【課題】  複数の宛先に送信した同報送信であることを容易に認識できるようにしつつ、送信履歴から宛先をアドレス帳に登録する際に、宛先を選択しやすくする。【解決手段】  アドレス帳に登録された宛先にデータを送信可能なデータ通信装置であって、複数の宛先にデータを送信したジョブの送信履歴を第１の画面に表示し、前記送信履歴に含まれる宛先を前記アドレス帳に登録するための指示を受け付けたことに従って前記複数の宛先を、１つの宛先が１行に表示される第２の画面を表示する表示手段と、前記表示手段によって表示された複数の宛先の一覧から宛先を選択する選択手段と、前記選択手段によって選択された宛先を前記アドレス帳に登録する登録手段とを有することを特徴とする。【選択図】  図５
2019080118.tif 000002
【特許請求の範囲】
【請求項１】
アドレス帳に登録された宛先にデータを送信可能なデータ通信装置であって、
複数の宛先にデータを送信したジョブの送信履歴を第１の画面に表示し、前記送信履歴に含まれる宛先を前記アドレス帳に登録するための指示を受け付けたことに従って前記複数の宛先を、１つの宛先が１行に表示される第２の画面を表示する表示手段と、
前記表示手段によって表示された複数の宛先の一覧から宛先を選択する選択手段と、
前記選択手段によって選択された宛先を前記アドレス帳に登録する登録手段とを有することを特徴とするデータ通信装置。
【請求項２】
前記送信履歴の送信結果が正常である場合に、当該送信履歴に含まれる宛先を前記アドレス帳に登録することを許可し、前記表示手段に表示された送信履歴の送信結果が正常でない場合に、当該送信履歴に含まれる宛先を前記アドレス帳に登録することを禁止することを特徴とする請求項１に記載のデータ通信装置。
【請求項３】
前記表示手段は、さらに、前記送信履歴に含まれる宛先を前記アドレス帳に登録するための指示を受け付けるための指示部を表示し、
前記表示手段に表示された送信履歴の送信結果が正常でない場合に、前記指示部による指示ができないように表示を制御することを特徴とする請求項１または２に記載のデータ通信装置。
【請求項４】
前記表示手段は、さらに、前記送信履歴に含まれる宛先を前記アドレス帳に登録するための指示を受け付けるための指示部を表示し、
前記表示手段に表示された送信履歴の送信結果が正常でない場合に、前記指示部が選択されたことに従って、前記送信履歴に含まれる宛先を前記アドレス帳に登録するか否かをユーザに選択させることを特徴とする請求項１または２に記載のデータ通信装置。
【請求項５】
前記複数の宛先を含む送信履歴に含まれる宛先ごとに送信結果を記憶する記憶手段をさらに有し、
前記表示手段は、前記複数の宛先のうち、送信結果が正常である宛先のみを選択可能な状態で前記第２の画面を表示すること特徴とする請求項１乃至４のいずれか１項に記載のデータ通信装置。
【請求項６】
前記表示手段は、前記第２の画面を表示する際に、前記複数の宛先のそれぞれの宛先のフィールド情報を、それぞれの宛先に付加して表示することを特徴とする請求項１乃至５のいずれか１項に記載のデータ通信装置。
【請求項７】
電子メールのフィールド情報は、Ｔｏ，Ｃｃ，ＢｃｃのＭＩＭＥ属性であることを特徴とする請求項６に記載のデータ通信装置。
【請求項８】
アドレス帳に登録された宛先にデータを送信可能なデータ通信装置の制御方法であって、
複数の宛先にデータを送信したジョブの送信履歴を第１の画面に表示し、前記送信履歴に含まれる宛先を前記アドレス帳に登録するための登録指示を受け付けたことに従って前記複数の宛先を、１つの宛先が１行に表示される第２の画面を表示する表示工程と、
前記表示工程で表示された複数の宛先の一覧から宛先を選択する選択工程と、
前記選択工程で選択された宛先を前記アドレス帳に登録する登録工程とを有することを特徴とするデータ通信装置の制御方法。
【請求項９】
前記送信履歴の送信結果が正常である場合に、当該送信履歴に含まれる宛先を前記アドレス帳に登録することを許可し、前記表示手段に表示された送信履歴の送信結果が正常でない場合に、当該送信履歴に含まれる宛先を前記アドレス帳に登録することを禁止することを特徴とする請求項７に記載のデータ通信装置の制御方法。
【請求項１０】
前記表示工程では、さらに、前記送信履歴に含まれる宛先を前記アドレス帳に登録するための指示を受け付けるための指示部を表示し、
前記表示工程で表示された送信履歴の送信結果が正常でない場合に、前記指示部による指示ができないように表示を制御することを特徴とする請求項８または９に記載のデータ通信装置の制御方法。
【請求項１１】
前記表示工程では、さらに、前記送信履歴に含まれる宛先を前記アドレス帳に登録するための指示を受け付けるための指示部を表示し、
前記表示工程で表示された送信履歴の送信結果が正常でない場合に、前記指示部が選択されたことに従って、前記送信履歴に含まれる宛先を前記アドレス帳に登録するか否かをユーザに選択させることを特徴とする請求項８または９に記載のデータ通信装置の制御方法。
【請求項１２】
複数の宛先を含む送信履歴に含まれる宛先ごとに送信結果を記憶する記憶工程をさらに有し、
前記表示工程では、前記複数の宛先のうち、送信結果が正常である宛先のみを選択可能な状態で前記第２の画面を表示すること特徴とする請求項８乃至１１のいずれか１項に記載のデータ通信装置の制御方法。
【請求項１３】
前記表示手段は、前記第２の画面を表示する際に、前記複数の宛先のそれぞれの宛先のフィールド情報を、それぞれの宛先に付加して表示することを特徴とする請求項８乃至１２のいずれか１項に記載のデータ通信装置の制御方法。
【請求項１４】
電子メールのフィールド情報は、Ｔｏ，Ｃｃ，ＢｃｃのＭＩＭＥ属性であることを特徴とする請求項１３に記載のデータ通信装置の制御方法。
【請求項１５】
請求項８乃至１４のいずれか１項に記載のデータ通信装置の制御方法を、コンピュータに実行させるためのプログラム。
【発明の詳細な説明】
【技術分野】
【０００１】
本発明は、データ通信装置、データ通信装置の制御方法、及びプログラムに関する。
【背景技術】
【０００２】
従来、電子メール、ファクシミリ、ファイル送信を行うデータ通信装置には、アドレス帳に宛先を設定するため、送受信したメールの履歴から宛先データのアドレスフィールドをアドレス帳に登録できるようにしているものがある。（特許文献１参照）
【先行技術文献】
【特許文献】
【０００３】
【特許文献１】特開２０１０−９３５４号公報
【発明の概要】
【発明が解決しようとする課題】
【０００４】
従来の装置では、複数の宛先にデータを送信する同報送信を実行し、複数の宛先から宛先を選択してアドレス帳に登録する際に、カンマ区切りで複数の宛先が１行で表示されている。そのため、所望の宛先を登録する際に宛先を選択しづらい。
【０００５】
また、送信履歴を表示する際に、１宛先毎に別の行で表示すると、同じ日付・時刻の送信履歴が複数の行にわたって表示され、各履歴が同報送信の履歴であるかどうかを判断しづらい。
【０００６】
本発明は、このような課題に鑑みてなされたものである。本発明の目的は、複数の宛先に送信した同報送信であることを容易に認識できるようにしつつ、送信履歴から宛先をアドレス帳に登録する際に、宛先を選択しやすくすることを目的とする。
【課題を解決するための手段】
【０００７】
アドレス帳に登録された宛先にデータを送信可能なデータ通信装置であって、
複数の宛先にデータを送信したジョブの送信履歴を第１の画面に表示し、前記送信履歴に含まれる宛先を前記アドレス帳に登録するための指示を受け付けたことに従って前記複数の宛先を、１つの宛先が１行に表示される第２の画面を表示する表示手段と、
前記表示手段によって表示された複数の宛先の一覧から宛先を選択する選択手段と、
前記選択手段によって選択された宛先を前記アドレス帳に登録する登録手段とを有することを特徴とするデータ通信装置。
【発明の効果】
【０００８】
本発明によれば、複数の宛先に送信した同報送信であることを容易に認識できるようにしつつ、送信履歴から宛先をアドレス帳に登録する際に、宛先を選択しやすくすることができる。
【図面の簡単な説明】
【０００９】
【図１】ネットワーク構成を示す図である。
【図２】送信装置の構成を示す図である。
【図３】送信装置のユーザインターフェース装置を示す図である。
【図４】状況確認画面から送信ジョブの送信状況と送信履歴画面への遷移を示す図である。
【図５】送信履歴表示からアドレス帳登録への画面遷移を示す図である。
【図６】送信履歴の宛先表示からアドレス帳登録への制御を示すフローチャートである。
【図７】第２の実施形態における画面遷移を示す図である。
【図８】第２の実施形態におけるフローチャートである。
【図９】第３の実施形態における画面遷移を示す図である。
【図１０】第３の実施形態におけるフローチャートである。
【図１１】第４の実施形態におけるフローチャートである。
【発明を実施するための形態】
【００１０】
以下、本発明を実施するための形態について図面を用いて説明する。
【００１１】
＜第１の実施形態＞
まず、本発明の第１の実施形態について説明する。図１は、本発明におけるネットワーク構成に関するブロック図である。ネットワーク１００上には、ＭＦＰ１０１とＭＦＰ１０２、メールサーバ１０３、ＰＣ１０４がお互いに通信可能に接続されている。本実施形態では、データ通信装置の一例としてＭＦＰ１０１、送信先の一例としてＰＣ１０４、ＭＦＰ１０２を図示している。
【００１２】
ＭＦＰ１０１は、スキャンした画像データをＭＦＰ１０２に電子メールとして送信するため、ＭＦＰ１０２またはＰＣ１０４のメールアドレスを送信宛先に指定して、メールサーバ１０３に電子メールを送信する。メールサーバ１０３は、受信した電子メールをＭＦＰ１０２またはＰＣ１０４で受信するための電子メールとしてストレージ（不図示）に設けたメールボックスに格納する。ＭＦＰ１０２は、メールサーバ１０３のメールボックスから設定された電子メール受信アカウントを用いてサーバ１０３のメールボックスからＭＦＰ１０１から送信された電子メールを受信する。なお、ネットワーク１０１は、ローカルネットワークとして記述しているが、インターネットとしても良い。
【００１３】
このように、ＭＦＰ１０１は、送信宛先としてメールアドレスが指定可能なネットワーク構成上に配置されている。しかし、画像送信可能なネットワーク構成なら無線でアクセスポイント（不図示）に接続される構成など、全てのネットワークを有効な通信手段として用いる事ができる。
【００１４】
図２は、本実施形態に係るＭＦＰ１０１の構成を示すブロック図である。ＣＰＵ１１１を含む制御部１１０は、ＭＦＰ１０１全体の動作を制御する。ＣＰＵ１１１は、ＲＯＭ１１２又はストレージ１１４に記憶された制御プログラムを読み出して、読取制御や印刷制御などの各種制御を行う。ＲＯＭ１１２は、ＣＰＵ１１１によって実行可能な制御プログラムを格納する。また、ＲＯＭ１１２は、ブートプログラムやフォントデータなども格納する。ＲＡＭ１１３は、ＣＰＵ１１１の主記憶メモリであり、ＲＯＭ１１２及びストレージ１１４に格納された各種制御プログラムを展開するための一時記憶領域として用いられる。ストレージ１１４は、画像データ、印刷データ、送信履歴、アドレス帳、各種プログラム、及び各種設定情報を記憶する。本実施形態ではストレージ１１４としてフラッシュメモリを想定しているが、ＳＳＤやＨＤＤ，ｅＭＭＣなどの補助記憶装置を用いるようにしても良い。
【００１５】
なお、本実施形態のＭＦＰ１０１は、１つのＣＰＵ１１１が１つのメモリ（ＲＡＭ１１３）を用いて後述するフローチャートに示す各処理を実行するものとするが、他の様態であっても構わない。例えば複数のＣＰＵ、ＲＡＭ、ＲＯＭ、及びストレージを協働させて後述するフローチャートに示す各処理を実行することもできる。また、ＡＳＩＣやＦＰＧＡ等のハードウェア回路を用いて一部の処理を実行するようにしてもよい。
【００１６】
操作部Ｉ／Ｆ１１５は、操作部１１６と制御部１１０を接続する。操作部１１６は、ユーザに対して情報を表示したり、ユーザからの入力を検出したりする。
【００１７】
読取部Ｉ／Ｆ１１７は、読取部１１８と制御部１１０を接続する。読取部１１８は原稿上の画像を読み取って、その画像をバイナリーデータなどの画像データに変換する。読取部１１８によって生成された画像データは、外部装置に送信されたり、記録紙上に印刷されたりする。
【００１８】
印刷部Ｉ／Ｆ１１９は、印刷部１２０と制御部１１０を接続する。ＣＰＵ１１１は、印刷すべき画像データ（印刷対象の画像データ）を印刷部Ｉ／Ｆ１１９を介して印刷部１２０に転送する。印刷部１２０は、給紙カセットから給送された記録紙上に画像を印刷する。
【００１９】
制御部１１０は、通信部Ｉ／Ｆ１２３によりネットワーク１００に接続される。通信部Ｉ／Ｆ１２３は、ネットワーク１００上の外部装置に画像データや装置内部の各種情報を送信したり、ネットワーク１００上の情報処理装置から印刷データやネットワーク１１０上の各種情報を受信したりする。ネットワークを介した送受信の方法としては、前述した電子メールを用いての送受信や、その他のプロトコル（例えば、ＦＴＰやＳＭＢ、ＷＥＢＤＡＶ等）を用いたファイル送信を行うことができる。さらに、ＷＥＢサーバ機能を備え、ＰＣ１０２からのＨＴＴＰプロトコルによるアクセスで、送信・受信履歴や各種設定データをＰＣ１０２上で表示させる事もできる。
【００２０】
図３は、操作部１１６を示す外観図である。操作部１１６は、操作画面を表示するタッチパネル３０１とＤａｔａＬＥＤ３１０、ＥｒｒｏｒＬＥＤ３１１からなる。タッチパネル３０１は、タッチパネルとしてユーザからの指示（タッチ、ドラッグ、フリックなど）を受け付ける入力手段としても機能する。ユーザは、タッチパネル３０１上に表示される画面の各画像（タッチ画像）を指やスタイラス等のオブジェクトで直接タッチし、表示された画像に基づく各機能の実行を指示する。ここでタッチ画像とは、表示された画像により示される区切られた領域を意味し、この領域をタッチする事で、表示された画像に関連するコントローラ制御を実行する。
【００２１】
図３に示したタッチパネル３０１は、ホーム画面３０８を表示している。ホーム画面３０８は、ＭＦＰ１０１の各機能の実行を指示する画面で、コピー、ファクシミリ送信（ファクス）、スキャン、メディアプリント、などＭＦＰ１０１が実行する各機能のタッチ画像を表示する。
【００２２】
状況確認３０５は、ＭＦＰ１０１の状態を確認する状況確認画面４４０を表示するためのタッチ画像である。状況確認画面４４０より送信履歴を表示する事ができる。状況確認画面４４０については、図４にて説明する。
【００２３】
スキャン３０３は、ＭＦＰ１０１から電子メール送信（電子メール）、ＳＭＢ，ＦＴＰによるファイル送信を実行する各送信設定画面に遷移するためのタッチ画像である。
【００２４】
アドレス帳３０４は、ＭＦＰ１０１のアドレス帳画面（不図示）を表示するためのタッチ画像である。アドレス帳画面から、電子メール等の送信宛先を指定し、送信設定画面に遷移する。アドレス帳は、ストレージ１１４に保存され、送信する宛先情報に関する設定を宛先毎に保存する。宛先情報は、送信種別（電子メール送信、ＳＭＢ送信／ＦＴＰ送信など）、名称、宛先情報（電子メールアドレス、ホスト名、サーバ情報など）、から構成される。また、宛先情報は、さらに複数の宛先情報を含むこともできる。
【００２５】
ＤａｔａＬＥＤ３１０及びＥｒｒｏｒＬＥＤ３１１はＭＦＰ１０１の状態をユーザに通知するものである。ＤａｔａＬＥＤ３１０は、電子メールや印刷ジョブの受信中や実行中に点灯し、ＥｒｒｏｒＬＥＤ３１１はＭＦＰ１０１に何らかのエラーが発生した際に点灯する。
【００２６】
ストップ３０６は、ＭＦＰ１０１の各操作のキャンセルを実行するときのタッチ画像である。ストップ３０６は、操作部１１６で常時表示される。
【００２７】
ホーム３０７は、ホーム画面３０８を表示するためのタッチ画像である。ホーム３０７は、操作部１１６で常時表示される。
【００２８】
図４は、状況確認画面４４０に関する操作画面のフロー図である。送信ジョブ４４１は、送信ジョブ画面４４２に遷移するためのタッチ画像である。送信ジョブ４４１をタッチすることで、送信ジョブ４４２の画面を表示する。送信ジョブ４４２は、送信状況４４４と送信履歴４４３のタブ表示部分をタッチすることで、ＭＦＰ１０１で実行中の送信ジョブの送信状況と、ＭＦＰ１０１で送信した送信履歴の情報を表示する。図４の送信状況４４４は、一例として電子メール送信（Ｅメール）とファクス送信（ファクス）とファイル送信（ファイル）の各送信ジョブの状況を表示している。送信履歴４４３は、図５にて詳細を説明する。尚、戻るマーク４４６の画像は、表示されている画面を前の画面に遷移するためのタッチ画像（戻る４４６）である。送信ジョブ４４２の画面を表示している時に戻る４４６をタッチした場合、前画面の状況確認４４０の画面を表示する。また、戻る４４６の画像は、他の画面でも表示される共通のタッチ画像である。
【００２９】
図５は、送信履歴４４３に関する操作画面のフロー図である。送信履歴４４３は、ＭＦＰ１０１にて送信した送信ジョブの送信日時、送信結果、エラー内容を一覧表示する。
【００３０】
尚、送信履歴の情報は、送信終了時にストレージ１１４に格納され、受付番号、送信結果、開始時刻、宛先の種類、宛先、送信ページ数、送信タイプ、件名を受付番号毎にレコード形式で格納する。ストレージ１１４に格納された送信履歴情報の参考例を表１に示す。受付番号は、０００１〜４９９９までの範囲でインクリメントしながら送信ジョブ開始時に割り振られる。受付番号が４９９９まで達したら、次は０００１に戻る。送信結果は、送信が正常終了したらＯＫ、異常終了したらＮＧを設定する。送信結果がＮＧの場合、エラーコードに３ケタのエラーコード番号を設定する。エラーコード番号は、送信結果ＮＧのエラー内容を得るための番号であり、エラーコード用のメッセージ一覧でエラーの内容が分かる。開始時刻には、送信開始した時刻が、年月日時分秒の形式で設定される。宛先の種類は、送信ジョブの通信方式を設定し、電子メール送信時はＥメールが、ＳＭＢファイル送信時はファイルが、ファクス送信時はファクスが設定される。宛先には、電子メール送信時は電子メールアドレスが、ファイル送信時はサーバ名とフォルダ名が、ファクス送信時はＦＡＸ番号が設定される。ページ数には、送信ジョブとして送信した画像のページ数が設定される。送信タイプには、１宛先のみの通常送信、または、２宛先以上の同報送信が設定される。件名には、電子メールのＳｕｂｊｅｃｔに設定された件名の文字列が設定される。
【００３１】
【表１】
2019080118.tif 000003
【００３２】
送信履歴４４３の画面にて送信履歴５１０をタッチすると、送信履歴の詳細情報５０１の画面に遷移する。詳細情報５０１には、受付番号、送信結果、開始時刻、宛先の種類、宛先、件名、ページ数、送信タイプが表示される。また、送信結果がＮＧの場合、送信履歴のエラーコードを参照して得られる送信エラー内容がさらに表示される。
【００３３】
詳細情報５０１の宛先５２０がタッチされると、送信履歴の宛先詳細５０４の画面が表示される。詳細情報５０１のアドレス帳５２１がタッチにより、アドレス帳の登録指示がなされ、宛先件数が２件以上ある場合、宛先一覧５０３の画面が表示される。宛先件数が１件の場合、アドレス帳登録５０６の画面を表示し、Ｅメールアドレス５５２に宛先５２０の宛先情報を設定する。
【００３４】
宛先一覧５０３は、宛先詳細５４０で表示される送信履歴の宛先情報を送信時に指定したＭＩＭＥ属性のフィールド情報であるＴｏ，Ｃｃ，Ｂｃｃの電子メールアドレスを１件毎に１行で表示する。尚、ＭＩＭＥ属性であるＴｏ，Ｃｃ，Ｂｃｃは、付加せずに、電子メールアドレスのみを表示してもよい。電子メールアドレスの件数が多く、一画面に入りきらない場合は、宛先一覧５０３のタッチパネルの画面をフリック、ドラッグすることでスクロールして表示する。宛先一覧５０３に表示される電子メールアドレスの宛先情報５３０をタッチすると、タッチした宛先情報をアドレス帳登録に設定する宛先にしてアドレス帳登録画面５０６を表示する。
【００３５】
宛先詳細５０４の画面は、電子メール送信時に指定した電子メールのＭＩＭＥ属性であるＴｏ，Ｃｃ，Ｂｃｃの送信履歴の宛先情報をカンマ区切りで表示する。尚、宛先詳細５０４の画面は、ＭＩＭＥ属性であるＴｏ，Ｃｃ，Ｂｃｃを付加せずに電子メールアドレスのみを表示してもよい。宛先情報が画面に収まらない場合、宛先表示５４０をフリック、ドラッグすることで表示をスクロールして全宛先を表示する。
【００３６】
アドレス帳登録５０６は、アドレス帳に登録するための情報として宛先の種類、名称、Ｅメールアドレス５５２を表示する。ここで、宛先一覧５０３で確定した送信履歴の宛先５３０を登録する宛先として確定した宛先情報５３０をＥメールアドレス５５２に設定する。アドレス帳登録画面５０６にて、名称を設定した後、ユーザは、確定５５３をタッチすることで、Ｅメールアドレス５５２に設定された送信履歴の宛先５３０をアドレス帳に登録する。
【００３７】
図６は、送信履歴の宛先情報をアドレス帳に登録する処理に関するフローチャートである。本フローチャートに関して、フローチャートの各動作（ステップ）は、ＣＰＵ１１１がＲＯＭ１１２またはストレージ１１４に記憶された制御プログラムをＲＡＭ１１３に読み出して実行することで実現される。
【００３８】
ＣＰＵ１１１は、操作部１１６のホーム画面３０８の状況確認３０５のタッチで表示される状況確認画面４４０から送信ジョブ４４１と送信履歴４４３のタッチを検知した時、図６に示すフローチャートに対応する制御を実行する。
【００３９】
Ｓ６０１で、ＣＰＵ１１１は、送信履歴４４３を表示し、送信履歴一覧を表示するための各種制御を行う。ここで、送信履歴４４３の画面がドラッグまたはフリックされると、ＣＰＵ１１１は、表示されている送信履歴情報をスクロール表示するよう制御する。それによって、１つの画面に収まりきらない送信履歴も表示できる。
【００４０】
Ｓ６０２で、ＣＰＵ１１１は、送信履歴の選択をタッチパネルに表示された履歴情報へのタッチ操作で判定し、タッチがある場合、タッチされた送信履歴の詳細情報５０１を表示し、タッチが無い場合、Ｓ６０１に戻る。
【００４１】
Ｓ６０３で、ＣＰＵ１１１は、図５に示す送信履歴の詳細情報５０１を表示し、フリック、ドラッグによるタッチパネル操作により表示内容のスクロール処理や、戻る４４６のタッチ処理、詳細情報の各表示項目に対するタッチ処理等による画面遷移を行う。
【００４２】
ここで、図示していないが、表示内容のスクロール処理により、件名、送信ページ数、送信タイプ（通常送信、同報送信）などの項目も表示される。また、送信結果がＮＧの場合、結果の画面表示にタッチすることで、送信エラーが発生したときのエラーに関する詳細説明が表示される。
【００４３】
Ｓ６０４で、ＣＰＵ１１１は、アドレス帳５２１がタッチされたかの判定を行い、タッチされた場合、Ｓ６０５に遷移し、タッチされていない場合、Ｓ６０８に遷移する。
【００４４】
Ｓ６０５で、ＣＰＵ１１１は、詳細情報５０１に表示されていた送信履歴の宛先５２０が複数（２宛先以上）であるかを判定し、複数である場合、Ｓ６０６に遷移し、１宛先のみの場合、Ｓ６１０に遷移する。
【００４５】
Ｓ６０６で、ＣＰＵ１１１は、宛先一覧５０３を操作部１１６に表示させる。ここで、宛先数が画面の表示領域を超える場合、タッチパネルのドラッグ・フリックによるスクロール制御を行う事で非表示部分の宛先が表示可能となる。
【００４６】
Ｓ６０７で、ＣＰＵ１１１は、宛先一覧５０３の一つの宛先５３０へのタッチで宛先を選択したかを判定する。宛先が選択された場合、ＣＰＵ１１１は、Ｓ６１０に処理を進め、宛先が選択されていない場合、ＣＰＵ１１１は、Ｓ６０６に処理を進める。
【００４７】
Ｓ６０８で、ＣＰＵ１１１は、詳細情報５０１の宛先５２０へのタッチで宛先を選択したかを判定し、宛先が選択された場合、ＣＰＵ１１１は、Ｓ６０９に処理を進め、宛先が選択されていない場合、ＣＰＵ１１１は、Ｓ６０３に処理を進める。
【００４８】
Ｓ６０９で、ＣＰＵ１１１は、宛先詳細５０４を操作部１１６に表示させ、送信履歴に保存されている全ての宛先情報を宛先表示５４０に、カンマ区切りで並べて表示させる。戻る５４２がタッチされると、ＣＰＵ１１１は、Ｓ６０３に処理を進める。
【００４９】
Ｓ６１０で、ＣＰＵ１１１は、Ｓ６０７で選択した宛先５３０をアドレス帳登録５０６のＥメールアドレス５５２に設定する。
【００５０】
Ｓ６１１で、ＣＰＵ１１１は、アドレス帳登録５０６の画面表示制御を実行する。宛先の種類には電子メール、名称には空欄、電子メールアドレスには、送信履歴から選択された宛先５３０が表示される。ここで、名称がタッチされた場合、アドレス帳の名称が設定され、電子メールアドレスがタッチされた場合、電子メールアドレスの編集画面（不図示）が表示され、アドレス情報を編集できるようにする。
【００５１】
Ｓ６１２で、ＣＰＵ１１１は、アドレス帳登録５０６の確定５５３のタッチを判定し、タッチされた場合、Ｓ６１３に処理を進め、タッチされていない場合、Ｓ６１１に処理を進める。
【００５２】
Ｓ６１３で、ＣＰＵ１１１は、アドレス帳登録５０６の画面で設定されている名称、電子メールアドレスをアドレス帳に登録する。
【００５３】
以上のように、第１の実施形態によれば、詳細情報５０１の宛先５２０の欄で、複数の宛先をカンマ区切りで並べて表示することで、同報送信の送信履歴であることが判別しやすくなる。また、同報送信の送信履歴に含まれる複数の宛先のいずれかを選択してアドレス帳に登録する場合に、宛先一覧５０３に示したように１宛先につき１行の表示を行うことで、カンマ区切りで並べて表示する表示形態に比べて、ユーザが宛先を選択しやすくなる。
【００５４】
＜第２の実施形態＞
第２の実施形態に関して、図７の操作画面のフロー図および図８のフローチャートを用いて説明する。
【００５５】
図７の操作画面は、図４における送信履歴４４３を示しており、送信履歴７１１をタッチしたときに、送信履歴の詳細情報７０１が表示される。送信履歴７１１は、送信結果がＮＧ（異常送信）の送信履歴であるため、エラーコード＃８０６が結果７２２に表示される。また、詳細情報７０１において、アドレス帳７２１は、タッチ操作を受け付けないことを示すために、取り消し線付きで表示される。なお、取り消し線の代わりに、アドレス帳７２１を、グレーアウトしてもよいし、非表示にしてもよい。このようにアドレス帳への登録を指示するための指示部の表示を制御することによって、アドレス帳への登録が禁止されていることをユーザに知らせることができる。
【００５６】
図８は、送信履歴の宛先情報をアドレス帳に登録する処理に関する第２の実施形態におけるフローチャートである。本フローチャートに関して、フローチャートの各動作（ステップ）は、ＣＰＵ１１１がＲＯＭ１１２またはストレージ１１４に記憶された制御プログラムをＲＡＭ１１３に読み出して実行することで実現される。
【００５７】
図８のフローチャートのＳ８０１からＳ８０２、Ｓ８０４からＳ８１３は、図６のフローチャートのＳ６０１からＳ６０２、Ｓ６０４からＳ６１３と同じステップであるため、説明を省略する。第２の実施形態において異なるステップは、Ｓ８０３およびＳ８２０である。
【００５８】
Ｓ８０３で、ＣＰＵ１１１は、図７の操作画面にて説明したようにアドレス帳７２１は、タッチ操作を受け付けないための表示制御を行う。
【００５９】
Ｓ８２０において、ＣＰＵ１１１は、表示されている送信履歴の送信結果が、正常であるか否かを判定し、正常である場合、Ｓ７０４に処理を進め、正常でない場合、Ｓ７０８に処理を進める。
【００６０】
以上の図７および図８で説明したように、送信結果が正常である場合には、送信履歴の宛先をアドレス帳に登録可能とし、送信結果が正常でない場合には、送信できない宛先のアドレス帳登録を防ぐことが可能となる。
【００６１】
＜第３の実施形態＞
第３の実施形態に関して、図９の操作画面のフロー図および図１０のフローチャートを用いて説明する。
【００６２】
図９の操作画面は、図７における送信履歴７１１から説明する。図７と異なる画面は、アドレス帳９２１が無効表示されていないことである。アドレス帳９２１をタッチすると、送信結果がＮＧ（異常送信）の送信履歴であるため、ＰＯＰＵＰ９２２で、指定した宛先情報は、送信ＮＧです。アドレス帳に登録しますか？という確認表示が行われる。ＰＯＰＵＰ９２２は、画面内に肯定応答“はい”を受け付ける肯定応答９２３と否定応答“いいえ”を受け付ける否定応答９２４が表示される。肯定応答９２３がタッチされると、図５と同様にアドレス帳登録５０８が表示されて、宛先９２０に表示されていた宛先情報がＥメールアドレス５５２に設定される。
【００６３】
図１０は、送信履歴の宛先情報をアドレス帳に登録する処理に関する第３の実施形態におけるフローチャートである。本フローチャートに関して、フローチャートの各動作（ステップ）は、ＣＰＵ１１１がＲＯＭ１１２またはストレージ１１４に記憶された制御プログラムをＲＡＭ１１３に読み出して実行することで実現される。
【００６４】
図１０のフローチャートのＳ１００１からＳ１０１３は、図６のフローチャートのＳ６０１からＳ６１３と同じステップであるため、説明を省略する。第３の実施形態において異なるステップは、Ｓ１０２０からＳ１０２２である。
【００６５】
Ｓ１０２０で、ＣＰＵ１１１は、表示されている送信履歴の送信結果が、正常であるか否かを判定し、正常である場合に、Ｓ１００５に処理を進め、異常である場合に、Ｓ１０２１に処理を進める。
【００６６】
Ｓ１０２１で、ＣＰＵ１１１は、送信結果ＮＧの宛先情報をアドレス帳に登録するかを確認するためのＰＯＰＵＰ９２２を操作部１１６に表示するよう制御する。
【００６７】
Ｓ１０２２で、ＣＰＵ１１１は、肯定応答９２３のタッチを検知した確認ＯＫの場合、Ｓ１００５に遷移し、否定応答９２４のタッチを検知した確認ＮＧの場合、Ｓ１００３に遷移する。
【００６８】
以上、図９および図１０にて説明したように、送信結果が正常である場合、送信履歴の宛先をアドレス帳に登録可能とし、異常送信の場合は、ＰＯＰＵＰ表示でユーザへの確認表示を行うことで、よりユーザフレンドリーなアドレス帳登録が可能になる。
【００６９】
＜第４の実施形態＞
第４の実施形態について、図６のフローチャートのステップＳ６０８で説明する。
【００７０】
Ｓ６０８で、ＣＰＵ１１１は、電子メールに設定された宛先毎に送信結果を判断し、Ｓ６０６で表示される宛先一覧のうち、送信結果が正常である宛先のみを表示することで、正常送信できた宛先のみを選択可能にし、アドレス帳に登録することを許可する。
【００７１】
第４の実施形態を用いることで、同報送信時の複数の宛先から正常に送信可能な宛先のみを宛先一覧で選択することができ、送信できない宛先をアドレス帳に登録することを防ぐ。
【００７２】
＜第５の実施形態＞
第５の実施形態に関して、図５の操作画面のフロー図および図１１のフローチャートを用いて説明する。
【００７３】
図５の宛先詳細５０４の画面にアドレス帳５４１を表示することで、カンマ区切りの宛先詳細表示から、１宛先１行の宛先一覧表示を呼び出すことができる。そのための制御を追記したのが図１１のフローチャートである。本フローチャートに関して、フローチャートの各動作（ステップ）は、ＣＰＵ１１１がＲＯＭ１１２またはストレージ１１４に記憶された制御プログラムをＲＡＭ１１３に読み出して実行することで実現される。
【００７４】
図１１のフローチャートのＳ１１０１からＳ１１１３は、図６のフローチャートのＳ６０１からＳ６１３と同じステップのため、説明を省略する。第３の実施形態において異なるステップは、Ｓ１１２０からＳ１１２１である。
【００７５】
Ｓ１１２０で、ＣＰＵ１１１は、宛先詳細５０４の画面に表示されたアドレス帳５４１のタッチを検出し、タッチされた場合、Ｓ１１０６に遷移し、タッチされていない場合、Ｓ１１２１に遷移する。
【００７６】
Ｓ１１２１で、ＣＰＵ１１１は、宛先詳細５０４の画面に表示された戻る５４２のタッチを検出し、タッチを検出した場合、Ｓ１１０３に遷移し、タッチを検出していないＮＯの場合、ステップＳ１１０９に遷移する。
【００７７】
第５の実施形態を用いる事で、同報送信時が分かり易いカンマ区切りの宛先詳細表示からアドレス帳登録で選択しやすい１宛先１行表示を呼び出すことが可能となる。一度、送信履歴の詳細情報表示に戻らないで、アドレス帳登録に遷移するため、ユーザフレンドリーな操作フローが実現可能となる。
【００７８】
以上、実施形態として第１から第５までを説明してきたが、それぞれの実施形態を組み合わせることも可能である。
【００７９】
＜その他の実施形態＞
本発明は、上述の実施形態の１以上の機能を実現するプログラムを、ネットワーク又は記憶媒体を介してシステム又は装置に供給する。そして、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８０】
１１１  ＣＰＵ
１１２  ＲＯＭ
１１６  操作部
【図１】
2019080118.tif 000004
【図２】
2019080118.tif 000005
【図３】
2019080118.tif 000006
【図４】
2019080118.tif 000007
【図５】
2019080118.tif 000008
【図６】
2019080118.tif 000009
【図７】
2019080118.tif 000010
【図８】
2019080118.tif 000011
【図９】
2019080118.tif 000012
【図１０】
2019080118.tif 000013
【図１１】
2019080118.tif 000014